(57)【要約】【課題】リボンを用いるシンプルな方式で、電池収納室にリボンが埋没した状態や空の状態で電池を装填してしまうトラブルを確実に防止する。【解決手段】電池収納室５３の両側壁５７，５８にガイド部８３，８４を有し、リボン８１を引き出した場合に電池を取り出せる位置でリボン８１がガイド部８３，８４によって電池収納室５３を横切る張設状態となるように規制することで、電池を装填する場合にはリボン８１を引出しておけば、リボン８１全体が電池収納室５３内に埋没したり、リボン８１が電池収納室５３内で空になったりすることがなくなり、張設状態のリボン８１に電池先端面を当接させて電池を挿入することでリボン８１が最奥部まで後退する正規の装填状態を確保でき、シンプルなリボン８１による電池取り出し機能を確実に発揮させることができるようにした。【選択図】        図５
2006228567.tif 000002
【特許請求の範囲】
【請求項１】
電池の挿脱を許容する開口を一端に有し該電池が挿脱自在に収納される電池収納室と、
一端が固定されて前記電池収納室内に配設され他端側の引出操作によって引出自在で電池先端面を当接させた前記電池の挿入操作によって前記電池収納室内の挿脱方向の最奥部まで後退自在な長尺状部材と、
前記電池収納室の両側壁に設けられ前記引出操作によって前記長尺状部材を引き出した場合に前記電池を取り出せる位置で該長尺状部材が該電池収納室内を横切る張設状態となるように規制するガイド部と、
を備えることを特徴とする携帯電子機器。
【請求項２】
前記ガイド部は、前記長尺状部材が挿脱方向に直交して前記電池収納室内を横切る張設状態となるように規制する位置に設けられていることを特徴とする請求項１に記載の携帯電子機器。
【請求項３】
前記ガイド部は、前記側壁に形成され前記長尺状部材が挿通するスリットよりなることを特徴とする請求項１又は２に記載の携帯電子機器。
【請求項４】
前記ガイド部は、前記側壁に挿通方向に沿わせて設けられ前記長尺状部材が挿通するガイド部材の奥側端部よりなることを特徴とする請求項１又は２に記載の携帯電子機器。
【請求項５】
前記電池収納室の挿脱方向の最奥部に電池先端面の電池側コネクタが挿脱自在な機器側コネクタを有し、
前記ガイド部は、張設状態の前記長尺状部材の電池先端面に対する当接位置を前記電池側コネクタ部分に当たらないように規制する位置に設けられていることを特徴とする請求項１〜４のいずれか１つに記載の携帯電子機器。
【請求項６】
前記開口付近に前記長尺状部材の他端側を外部に挿通自在に引き出す引出口を有し、
前記長尺状部材の他端に前記引出口内への挿通を制限する立体形状の把手を有することを特徴とする請求項１〜５のいずれか１つに記載の携帯電子機器。
【請求項７】
前記把手は、前記電池と前記電池収納室内面との間の隙間より大きい立体形状を有して、前記長尺状部材を最大に引き出した場合の前記引出口からの長さが前記電池の挿脱方向の長さより短い位置に設けられ、
前記把手が前記電池収納室内に存在する場合に前記電池の正規位置への装填動作を該把手によって阻害するようにしたことを特徴とする請求項６に記載の携帯電子機器。
【請求項８】
前記開口を閉塞する開閉自在な蓋部材を有し、
前記把手は、前記電池収納室に収納状態の電池の後端面と該蓋部材とにより形成される空間に収納自在であることを特徴とする請求項１〜７のいずれか１つに記載の携帯電子機器。
【請求項９】
前記長尺状部材の他端に連結され該長尺状部材を引き出すスライド引出機構を有することを特徴とする請求項１〜５の何れか１つに記載の携帯電子機器。
【請求項１０】
前記開口及び前記スライド引出機構を閉塞する開閉自在な蓋部材を有することを特徴とする請求項９に記載の携帯電子機器。
【請求項１１】
前記電池収納室を形成する両側壁に直交する挿脱方向の壁面上に設けられ、装填された電池が外形に備える凹部に係合する付勢力を有し該凹部に弾性的に係脱する弾性部材を有することを特徴とする請求項１〜１０のいずれか１つに記載の携帯電子機器。
【請求項１２】
前記電池収納室を形成する両側壁に直交する挿脱方向の壁面上に設けられ、電池が外形に備える挿脱方向に平行なガイド溝に摺動自在に嵌合するリブを有することを特徴とする請求項１〜１１のいずれか１つに記載の携帯電子機器。
【請求項１３】
前記長尺状部材は、帯状部材であることを特徴とする請求項１〜１２のいずれか１つに記載の携帯電子機器。
【請求項１４】
撮像手段と、撮像部位を照明し得る照明手段と、前記撮像手段により得られた画像データを外部に送信し得る送信手段とを含み被験者が飲み込み自在なカプセル型内視鏡と、
被験者の身体表面に装着されて前記送信手段から送信される画像データを所定の電気的変位量として受信するアンテナ構造の検知装置と、
電池収納室に電池が装填されて被験者により携行され、前記検知装置が受信した前記画像データを記録する請求項１〜１３のいずれか１つに記載の携帯電子機器と、
を備えることを特徴とするカプセル型内視鏡診療システム。
【発明の詳細な説明】
【技術分野】
【０００１】
本発明は、携帯電子機器及びカプセル型内視鏡診療システムに関するものである。
【背景技術】
【０００２】
一般に、各種携帯電子機器は、電源としての電池を交換自在に装填することを必要とする。このような携帯電子機器において、一端が固定されて電池収納室内に配設されたリボン上に載るようにして電池を装填し、電池交換時にはリボンの自由端側を引き出すことで電池を電池収納室から取り出す構成が周知技術として知られている。これは、ポリエステル繊維などのバイアス織物で構成されたリボンが張力に対して強く、また、リボンの両側がほつれないという性質を有することによる。
【０００３】
しかしながら、このような構成例のものは、自由端側を含めてリボン全体を電池収納室に置いたままの埋没状態やリボン全体を電池収納室から外れた位置に置いた空の状態といったように、リボンを想定外の位置に置いたまま電池を装填してしまった場合には、リボンが機能せず、電池を取り出せなくなってしまう欠点がある。このような欠点を改善するための提案例が多数ある。一例として、リボンの自由端を電池収納室の蓋に固定するようにした提案例がある（例えば、特許文献１参照）。また、上述したような欠点を有するリボン方式に代えて、リボンを不要とする電池取り出し構造の提案例もある（例えば、特許文献２〜６参照）。さらには、イジェクト釦を押すことにより電池が電池収納室から出てくるようにした取り出し機構を備える製品例もある。
【０００４】
【特許文献１】特開平９−１０７５８８号公報
【特許文献２】特開平５−２３４５７５号公報
【特許文献３】特開平９−３２０５６０号公報
【特許文献４】特開２０００−４８７９０号公報
【特許文献５】特開２００２−４２７５４号公報
【特許文献６】特開２００３−３１１９５号公報
【発明の開示】
【発明が解決しようとする課題】
【０００５】
しかしながら、特許文献１のものは、リボンが蓋に挟まれるか否かを確認できない状態で蓋を閉じることになり、また、誤って蓋をワイヤレスリモコンの背面に載る位置に待機させて電池収納室にはリボンが空のままの状態で電池を装填すると、リボンが収納された電池の上に載ってしまい、電池を取り出せなくなってしまうという欠点がある。
【０００６】
一方、特許文献２〜６等のものは、シンプルなリボンを用いない方式であるため、必要以上に複雑化してしまうという欠点がある。イジェクト釦方式のものも同様であり、正常な動作をするためには頑丈で複雑な機構が必要となり、必要なスペースが大きくなってしまうという欠点がある。特に、適用対象となる携帯電子機器によっては、防水構造が要求されるものもあるが、イジェクト釦方式のように必要なスペースが大きくなると出っ張る構造となり、防水構造をとりにくくなる欠点がある。
【０００７】
本発明は、上記に鑑みてなされたものであって、リボン等の長尺状部材を用いるシンプルな方式で、電池収納室に長尺状部材が埋没した状態や空の状態で電池を装填してしまうトラブルを確実に防止することができる携帯電子機器及びカプセル型内視鏡診療システムを提供することを目的とする。
【課題を解決するための手段】
【０００８】
上述した課題を解決し、目的を達成するために、請求項１に係る携帯電子機器は、電池の挿脱を許容する開口を一端に有し該電池が挿脱自在に収納される電池収納室と、一端が固定されて前記電池収納室内に配設され他端側の引出操作によって引出自在で電池先端面を当接させた前記電池の挿入操作によって前記電池収納室内の挿脱方向の最奥部まで後退自在な長尺状部材と、前記電池収納室の両側壁に設けられ前記引出操作によって前記長尺状部材を引き出した場合に前記電池を取り出せる位置で該長尺状部材が該電池収納室内を横切る張設状態となるように規制するガイド部と、を備えることを特徴とする。
【０００９】
請求項２に係る携帯電子機器は、請求項１に係る携帯電子機器において、前記ガイド部は、前記長尺状部材が挿脱方向に直交して前記電池収納室内を横切る張設状態となるように規制する位置に設けられていることを特徴とする。
【００１０】
請求項３に係る携帯電子機器は、請求項１又は２に係る携帯電子機器において、前記ガイド部は、前記側壁に形成され前記長尺状部材が挿通するスリットよりなることを特徴とする。
【００１１】
請求項４に係る携帯電子機器は、請求項１又は２に係る携帯電子機器において、前記ガイド部は、前記側壁に挿通方向に沿わせて設けられ前記長尺状部材が挿通するガイド部材の奥側端部よりなることを特徴とする。
【００１２】
請求項５に係る携帯電子機器は、請求項１〜４のいずれか１つに係る携帯電子機器において、前記電池収納室の挿脱方向の最奥部に電池先端面の電池側コネクタが挿脱自在な機器側コネクタを有し、前記ガイド部は、張設状態の前記長尺状部材の電池先端面に対する当接位置を前記電池側コネクタ部分に当たらないように規制する位置に設けられていることを特徴とする。
【００１３】
請求項６に係る携帯電子機器は、請求項１〜５のいずれか１つに係る携帯電子機器において、前記開口付近に前記長尺状部材の他端側を外部に挿通自在に引き出す引出口を有し、前記長尺状部材の他端に前記引出口内への挿通を制限する立体形状の把手を有することを特徴とする。
【００１４】
請求項７に係る携帯電子機器は、請求項６に係る携帯電子機器において、前記把手は、前記電池と前記電池収納室内面との間の隙間より大きい立体形状を有して、前記長尺状部材を最大に引き出した場合の前記引出口からの長さが前記電池の挿脱方向の長さより短い位置に設けられ、前記把手が前記電池収納室内に存在する場合に前記電池の正規位置への装填動作を該把手によって阻害するようにしたことを特徴とする。
【００１５】
請求項８に係る携帯電子機器は、請求項１〜７のいずれか１つに係る携帯電子機器において、前記開口を閉塞する開閉自在な蓋部材を有し、前記把手は、前記電池収納室に収納状態の電池の後端面と該蓋部材とにより形成される空間に収納自在であることを特徴とする。
【００１６】
請求項９に係る携帯電子機器は、請求項１〜５のいずれか１つに係る携帯電子機器において、前記長尺状部材の他端に連結され該長尺状部材を引き出すスライド引出機構を有することを特徴とする。
【００１７】
請求項１０に係る携帯電子機器は、請求項９に係る携帯電子機器において、前記開口及び前記スライド引出機構を閉塞する開閉自在な蓋部材を有することを特徴とする。
【００１８】
請求項１１に係る携帯電子機器は、請求項１〜１０のいずれか１つに係る携帯電子機器において、前記電池収納室を形成する両側壁に直交する挿脱方向の壁面上に設けられ、装填された電池が外形に備える凹部に係合する付勢力を有し該凹部に弾性的に係脱する弾性部材を有することを特徴とする。
【００１９】
請求項１２に係る携帯電子機器は、請求項１〜１１のいずれか１つに係る携帯電子機器において、前記電池収納室を形成する両側壁に直交する挿脱方向の壁面上に設けられ、電池が外形に備える挿脱方向に平行なガイド溝に摺動自在に嵌合するリブを有することを特徴とする。
【００２０】
請求項１３に係る携帯電子機器は、請求項１〜１２のいずれか１つに係る携帯電子機器において、前記長尺状部材は、帯状部材であることを特徴とする。
【００２１】
請求項１４に係るカプセル型内視鏡診療システムは、撮像手段と、撮像部位を照明し得る照明手段と、前記撮像手段により得られた画像データを外部に送信し得る送信手段とを含み被験者が飲み込み自在なカプセル型内視鏡と、被験者の身体表面に装着されて前記送信手段から送信される画像データを所定の電気的変位量として受信するアンテナ構造の検知装置と、電池収納室に電池が装填されて被験者により携行され、前記検知装置が受信した前記画像データを記録する請求項１〜１３のいずれか１つに記載の携帯電子機器と、を備えることを特徴とする。
【発明の効果】
【００２２】
本発明に係る携帯電子機器は、電池収納室の両側壁にガイド部を有し、長尺状部材を引き出した場合に電池を取り出せる位置で長尺状部材がガイド部によって電池収納室を横切る張設状態となるように規制するので、電池を装填する場合には長尺状部材を引出しておけば、長尺状部材全体が電池収納室内に埋没したり、長尺状部材が電池収納室内で空になったりすることがなくなり、張設状態の長尺状部材に電池先端面を当接させて電池を挿入することで長尺状部材が最奥部まで後退する正規の装填状態を確保することができ、シンプルな長尺状部材による電池取り出し機能を確実に発揮させることができるという効果を奏する。
【発明を実施するための最良の形態】
【００２３】
以下に添付図面を参照して、本発明に係る好適な実施の形態について詳述する。
本実施の形態に係る携帯電子機器は、例えばカプセル型内視鏡診療システム中で被験者により携行されて診療中のデータを記録する携帯型受信機への適用例を示す。
【００２４】
図１は、本実施の形態に係る携帯型受信機を含むカプセル型内視鏡診療システムの全体構成例を示す図であり、図２は、アンテナジャック部と受信機とを示す斜視図である。カプセル型内視鏡診療システム１は、主に、カプセル型内視鏡２と、被験者３の身体表面の所定部位に接着等により直接装着されるループアンテナ構造の検知装置４と、この検知装置４にケーブル５で電気的に接続され検知結果を記録する携帯電子機器としての携帯型受信機６と、被験者３の身体に装着されて携帯型受信機６を被験者３の身体に保持するための受信機ホルダ７と、被験者３の体外に設けられた体外ユニット８とによって構成されている。
【００２５】
カプセル型内視鏡２のカプセル１１は、被験者３が飲み込み可能であり、図示しない撮像装置、照明装置、信号処理装置、送信装置及び電源等が内蔵されている。このカプセル型内視鏡２は、被験者３が飲み込むことにより体腔内に導入され、体腔内管路を移動している間、ＬＥＤ等の照明装置により照明された撮像部位をＣＣＤ、ＣＭＯＳ等の撮像装置で撮像して体腔内の画像を取得し、その画像データを信号処理装置で所定の信号に変換し、送信装置によって検知装置４に向けて無線で送信する。
【００２６】
また、検知装置４は、カプセル型内視鏡２内の送信装置から無線により送信出力される画像データの信号を所定の電気的変位量として検知する受信用アンテナであり、複数、例えば８つのループアンテナ１２ａ〜１２ｈにより構成されている。各ループアンテナ１２ａ〜１２ｈは、被験者３の例えば腹部側において左右の脇腹、みぞおち付近、左右の第７肋骨、左右の下腹部等の所定部位に直接貼り付けて配置される。
【００２７】
これらのループアンテナ１２ａ〜１２ｈから延出される８本のケーブル５は、シールド性が良好な例えば同軸線で構成されている。これらのケーブル５の長さ寸法は、対応するループアンテナ１２ａ〜１２ｈの体表への配置位置毎にあらかじめ決められている。また、これらのケーブル５は、携帯型受信機６に電気的に接続するための矩形平面状のアンテナジャック部１３内に引き込まれている。
【００２８】
また、携帯型受信機６は、やや扁平の直方体形状からなり、図２に示すように、電源スイッチ１４、表示ランプ１５、液晶表示部１６、アンテナユニット用ベイ１７、ビュアケーブル用コネクタ１８、クレードルポートコネクタ１９等を備えている。携帯型受信機６の内部には、ケーブル５を介して送信されてくる画像データを記録するためのＣＦメモリを含む回路部材が基板上に実装して設けられ、かつ、８〜１０時間といった長時間の診療に対応し得る容量の電池２０が後述する電池収納室に装填自在とされている。２１は、電池収納室の開口を開閉する蓋部材としての電池室カバーである。アンテナユニット用ベイ１７は、アンテナジャック部１３が挿脱自在なコネクタ構造を有し、アンテナジャック部１３を挿入した状態で携帯型受信機６の内部回路と検知装置４とが電気的に接続される構成である。２２は、アンテナジャック部１３を取り外すためのイジェクトボタンである。
【００２９】
ビュアケーブル用コネクタ１８は、携帯型受信機６の片側側面の下端側に設けられており、ビュアケーブル２３の一方のコネクタ２３ａをこのビュアケーブル用コネクタ１８に装着し他方のコネクタ２３ｂをビュア２４に装着することで、携帯型受信機６に記録される診療中の画像をビュア２４によって随時確認できる構成とされている。
【００３０】
受信機ホルダ７は、携帯型受信機６を被験者３の身体、例えば左腰部位に保持して携行を可能とするものであり、例えば、ポーチ２５と腹ベルト２６とサスペンダ２７などにより構成されている。
【００３１】
さらに、体外ユニット８は、例えば病院内に設置されたワークステーション２８を主とするものであり、表示装置２９、印刷装置３０、キーボード３１等を備える他、携帯型受信機６内のＣＦメモリに記録された画像データをワークステーション２８に一括して取り込むためのクレードル３２やＵＳＢケーブル等によるクレードルケーブル３３を備えている。ワークステーション２８は、クレードル３２に携帯型受信機６が差し込まれ、クレードルポートコネクタ１９を介して接続状態になると、携帯型受信機６内のＣＦメモリに記録された画像データを全てワークステーション２８に一括して取り込む。
【００３２】
次に、携帯型受信機６及び電池２０について説明する。図３は、アンテナジャック部１３が装填された携帯型受信機６の外観を示す斜視図であり、図４は、カバーケースを取り外した本体ケース側の構成例を示す斜視図であり、図５は、天井板を取り外した本体ケース側の電池装填前の構成例を示す斜視図であり、図６は、天井板を取り外した本体ケース側の電池装填状態の構成例を電池を省略して示す斜視図であり、図７は、装填状態の電池とリボンとの状態を示す斜視図であり、図８は、装着状態のリボン単体の配設状態を示す斜視図であり、図９は、携帯型受信機６を裏返し本体ケースを省略して示す電池装填状態の斜視図であり、図１０は、図９の方向に見た装填状態の電池とリボンとの状態を示す斜視図であり、図１１は、電池収納状態の電池収納室部部分の縦断背面図であり、図１２は、電池収納状態の携帯型受信機６を一部切り欠いて示す平面図であり、図１３は、電池収納状態の携帯型受信機６を一部切り欠いて示す右側面図である。
【００３３】
まず、図７、図１０〜図１３を参照して、携帯型受信機６内に装填される電池２０の構成を説明する。電池２０は、前述したように８〜１０時間に及ぶ診療に対応し得る容量が必要であり、扁平円筒形状の４つのセル４１ａ〜４１ｄのうちの２本ずつを直列接続し、これらを並列に接続してパック４２内に収納することにより構成された７.４Ｖ、３６００ｍＡの大容量の矩形扁平状のリチウムイオン電池である。電池２０は、携帯型受信機６に対する装填に非可逆な方向性を有し、後述する機器側コネクタに挿通自在に電気的に接続するための電池側コネクタ４３を挿脱方向の電池先端面４２ａに有する。電池側コネクタ４３は、電池先端面４２ａ中で例えば１つのセル対応位置となるように幅方向、高さ方向に偏移させて設けられている。また、電池２０の外形をなすパック４２の一方の扁平面４２ｂ上には、内蔵のセル間の隙間を利用したガイド溝４４が挿脱方向に平行に形成されている。ガイド溝４４は、電池先端面４２ａ側は貫通して開き電池後端面４２ｃ側は貫通せず閉じた形状に形成されている。さらに、電池２０の外形をなすパック４２の他方の扁平面４２ｄ上の電池先端面４２ａ寄りの中央位置には、後述するように自重による脱落を防止するための凹部４５が形成されている。
【００３４】
次に、上述の電池２０を電源として装填対象とする携帯型受信機６の構成を説明する。携帯型受信機６は、図３に示すように、共に樹脂成型等からなる本体ケース５１とカバーケース５２との２分割構造により形成されている。本体ケース５１は、電池２０を挿脱自在に収納する電池収納室５３と前述のアンテナユニット用ベイ１７とを主体に構成され、カバーケース５２は、ＣＦメモリを含む回路部材が実装された基板５４を主体に構成され、液晶表示部１６等を含む構成とされている。
【００３５】
ここで、電池収納室５３は、本体ケース５１の所定位置に対して樹脂成型等からなる天井板５５を組み合わせることにより、一端に電池２０を挿脱するための開口５３ａを有する矩形状に形成されている。すなわち、本体ケース５１には、壁面としての底面５６と、この底面５６に垂直で互いに平行となるように植立させた第１，２の側壁５７，５８と、挿脱方向の最奥部で底面５６及び第１，２の側壁５７，５８に垂直に植立させた突当面５９が開放状態であらかじめ形成されており、図４に示すように、天井板５５を底面５６と平行になるように第１，２の側壁５７，５８及び突当面５９上に取り付けることにより電池収納室５３が形成される。
【００３６】
なお、本体ケース５１、天井板５５の立上げ部とカバーケース５２との接合面には、パッキン等でシールするための防水用シール溝６０，６１が形成されている。これにより、携帯型受信機６は、防水構造とされている。被験者３により携行される診療中に水などがかかって内部の回路等が誤動作するのを防止するためである。
【００３７】
また、開口５３ａを閉塞する電池室カバー２１は、この開口５３ａに丁度適合する大きさに形成されて開口５３ａを閉塞する防水カバー６２と、天井板５５の立上げ部に形成された支持部６３によって支持された支軸６４を回動支点として回動自在でねじりばね６５により開放方向に付勢された開閉カバー６６との二重構造からなる。開閉カバー６６は、防水カバー６２に対してスライド自在に連結されており、通常は下端に形成されたロック爪６７が本体ケース５１のロック溝６８に係止することで開口５３ａを防水カバー６２により閉塞状態に維持し、解除釦６９を操作して開閉カバー６６を押し下げロック爪６７の係止を解除することにより、ねじりばね６５の付勢力により防水カバー６２とともに開放状態となる。７０は、開閉カバー６６の開放状態をほぼ水平状態に規制するストッパである。
【００３８】
ここで、電池収納室５３は、その内面と電池２０との間にわずかな隙間ｄ（図１２参照）を有して電池２０がほぼ丁度入り込む大きさ・形状に形成されている。電池収納室５３は、電池２０を携帯型受信機６の右側面側から挿脱するように挿脱方向が方向付けられたもので、最奥部の突当面５９には電池側コネクタ４３が挿脱自在な機器側コネクタ７１を備えている。この機器側コネクタ７１は、図９に示すように、電池収納室５３よりも奥側位置で基板５４側との電気的接続がなされている。
【００３９】
また、電池収納室５３内において、底面５６上には電池２０のパック４２の扁平面４２ｂ上に形成されたガイド溝４４が摺動自在に嵌合するリブ７２が設けられている。このリブ７２は、一端が閉塞されたガイド溝４４に対応させて、開口５３ａ付近には形成されず、途中から奥側に向けて形成されている。
【００４０】
さらに、天井板５５は、図４及び図１１に示すように、電池収納室５３内への電池２０の装填状態において、パック４２の扁平面４２ｄ上に形成されている凹部４５に弾性的に係脱する弾性部材としての弾性係止片７３を備える。この弾性係止片７３は、天井板５５の一部を略コ字状に切り欠くことで形成され、通常は電池２０側の凹部４５に係合する付勢力を有し、上方に押すことで付勢力に抗して凹部４５と係合しない状態を採り得る。
【００４１】
また、電池収納室５３に対しては、装填された電池２０を取り出すための長尺状部材としてのリボン８１が配設されている。このリボン８１は、張力に対して強く、かつ、両側がほつれないという性質を有するポリエステル繊維などのバイアス織物で構成された帯状部材である。このリボン８１の一端は、第１の側壁５７の外側の適宜位置に立設された固定ピン８２に係止させることにより固定されている。このリボン８１は、基本的には、一端が固定されて電池収納室５３内を通るように配設され他端側の引出操作によって引出自在で電池先端面４２ａを当接させた電池２０の挿入操作によって電池収納室５３内の挿脱方向の最奥部の突当面５９まで後退自在である。
【００４２】
ここで、第１の側壁５７にはリボン８１が挿通するスリット８３が形成され、第２の側壁５８にはリボン８１が挿通するスリット８４，８５が形成されている。一端が固定されたリボン８１は、ガイド部としてのスリット８３，８４に挿通させることにより電池収納室５３内を横切り、さらに、スリット８４部分で第２の側壁５８外を通って引出口としてのスリット８５に挿通させることにより開口５３ａを経てリボン８１の他端側が外部に出るように這い回されている。
【００４３】
より詳細には、スリット８３，８４は、図５に示すように、リボン８１の他端側を最大に引き出した場合に電池２０を取り出せる位置でこのリボン８１が電池収納室５３を横切る張設状態となるように規制する位置に設けられている。本実施の形態では、これらのスリット８３，８４の形成位置は、突当面５９から等距離の位置とされ、リボン８１が電池２０の挿脱方向に直交して電池収納室５３を横切る張設状態となるように規制する。また、スリット８３，８４の形成位置は、電池収納室５３の深さに対して突当面５９面側から１／３程度の位置に設定され、電池２０側の凹部４５が、付勢力に抗して弾性係止片７３から確実に外れることで、電池２０の取り出しが十分可能な位置とされている。リボン８１は、分割状態の本体ケース５１においてスリット８３，８４，８５に対して上方から挿入することにより這い回されるが、天井板５５を取り付けることによりスリット８３，８４，８５から上方への抜けは防止される。
【００４４】
また、リボン８１は、電池先端面４２ａの高さ（厚み）に対して１／２程度の幅狭なものが用いられている。そして、スリット８３，８４は、第１，２の側壁５７，５８において、張設状態のリボン８１の電池先端面４２ａに対する当接位置を、図１０に示すように、電池側コネクタ４３部分に当たらないように規制する高さ位置に設けられている。
【００４５】
さらに、リボン８１は、自由端となる他端側にこのリボン８１の引出操作を行う把手８６を有する。この把手８６はスリット８５から内部側への挿通を制限する立体形状を有する。立体形状としては、スリット８５の長さよりも大きい形状等であってもよいが、本実施の形態の把手８６はスリット８５の幅よりも厚くて挿通できない立体形状とされている。この把手８６部分の厚みは、前述の電池２０と電池収納室５３の内壁との間の隙間ｄよりも大きくて隙間ｄ内に入り込めない厚さとされている。また、把手８６は、リボン８１を最大に引き出した場合のスリット８５からの長さが電池２０の挿脱方向の長さより短い位置に設けられている。具体的には、リボン８１が突当面５９に接する最奥部に位置するときに、図４，図１２等に示すように、スリット８５からわずかに出た位置に把手８６が位置しているため、リボン８１を最大に引き出した場合のスリット８５から把手８６までの長さは、最大引出量相当の長さとされている。特に、本実施の形態では、電池収納室５５３の深さを３ａとしたとき、突当面５９からスリット８３，８４までの長さがａであり、最大引出量相当の長さは２ａであり、スリット８４，８５間の長さ相当となるように設定されている。
【００４６】
次に、電池収納室５３に対する電池２０の挿入操作について説明する。電池室カバー２１を開放した後、把手８６部分を把持してリボン８１を最大に引き出す。ここで、把手８６は、スリット８５の幅よりも厚いので、引出操作に先立ち、把手８６がスリット８５から本体ケース５１内に埋没してしまうようなトラブルは生じない。リボン８１を最大に引き出すと、リボン８１は、図５に示すように、スリット８３，８４部分による規制で挿脱方向に直交して電池収納室５３を横切る張設状態となる。この状態では、リボン８１の這い回しはスリット８３，８４等により規制されており、電池収納室５３内にリボンが存在しない空の状態とか、リボン８１全体が電池収納室５３内に埋没してしまうといったトラブルは生じない。この状態で、電池２０を開口５３ａ側から電池収納室５３内に向けて挿入する。
【００４７】
この場合、ガイド溝４４をリブ７２に嵌合させて摺動させる。電池２０の天地を逆にしたり、先後端を逆にしたりした場合には、ガイド溝４４がリブ７２に嵌合せず電池２０を挿入できないので、電池２０の逆装填が防止される。
【００４８】
次に、張設状態のリボン８１に対して挿入した電池２０の電池先端面４２ａを当接させる。ここで、当接個所は奥行きのある電池収納室５３内の奥側であるが、リボン８１は張設状態で整然としているので、電池先端面４２ａをリボン８１に当接させる作業の操作性がよいものとなる。また、電池２０自身が扁平な上に電池先端面４２ａに電池側コネクタ４３を有する構造であり、リボン８１に当接させる的が小さいが、電池先端面４２ａに対するリボン８１の当接位置がスリット８３，８４の高さ位置により規制されているので、図１０等に示すように、電池側コネクタ４３を避けて確実に電池側先端面４２ａに当接させることができる。
【００４９】
この後、電池２０をさらに押し込むとリボン８１も一緒に奥側に後退移動し、最終的に電池側コネクタ４３が機器側コネクタ７１に係合して電気的に接続状態となる正規の装填位置では、リボン８１も電池先端面４２ａに当接したまま、図６〜図１０等に示すような屈曲形状で最奥部の突当面５９まで後退する。この場合、リボン８１は電池側コネクタ４３に重ならない位置で電池先端面４２ａに当接しているので、電池側コネクタ４３と機器側コネクタ７１との挿脱に支障を来たさない。
【００５０】
ここで、電池２０の装填状態では、その挿入操作に伴い、電池２０の凹部４５が天井板５５の弾性係止片７３に係止し弾性係止片７３の付勢力により抜け止めされる。これにより、電池２０を電池収納室５３内に装填した状態で開口５３ａを下向きとするようなことがあっても、電池２０の自重による脱落が防止される。
【００５１】
このような電池２０の挿入操作に伴い、リボン８１の他端側はスリット８５を通って本体ケース５１内に引き込まれる。電池２０の装填完了後は、スリット８５から外部に出ているリボン８１及び把手８６部分は、電池後端面４２ｃ上に載せて電池室カバー２１を閉じることにより、図４、図１２等に示すように、電池後端面４２ｃと電池室カバー２１とにより形成される空間８７に収めることができる。
【００５２】
ついで、装填されている電池２０の取り出し操作について説明する。電池室カバー２１を開放した後、把手８６部分を把持してリボン８１を引き出す操作を行う。この場合、リボン８１は電池先端面４２ａに当接したまま電池収納室５３を横切ってその最奥部に存在するので、リボン８１の引出し操作に伴い電池２０も突当面５９から離間し開口５３ａ側に向かうように移動する。ここで、電池２０は電池側コネクタ４３が機器側コネクタ７１と係止状態にあり、かつ、凹部４５と弾性係止片７３との係止により抜け止め状態にあるが、張力に対して強いリボン８１の引出操作によりこれらの係止状態を解除させて電池２０を取り出し方向に確実に移動させることができる。
【００５３】
また、リボン８１の引出操作の開始時には、図１４に示すように、電池２０の先端側一隅がリボン８１からの力を受ける着力点となり、取り出そうとする電池２０を傾ける力が作用し、周囲の部材、特に係止状態の電池側コネクタ４３・機器側コネクタ７１間にこじれが発生し抜けなくなってしまう可能性がある。しかし、本実施の形態では、電池２０の動きがガイド溝４４とリブ７２とにより直進するように規制されているので、電池２０は傾くことなく確実に取り出し方向に移動する。リボン８１がスリット８３，８４間で張設状態となる位置まで、あるいは、同等の位置まで、リボン８１の引出しを行うと、電池後端面４２ｃ側が開口５３ａ外に突出するので、電池２０の取り出しが可能となる。
【００５４】
ここで、図１５に示すように、把手８６部分が電池収納室５３内に存在する状態で電池２０の挿入操作を行った場合について説明する。この場合、電池２０の挿入操作を行うと、把手８６部分の厚みが電池２０と電池収納室５３の内壁との間の隙間ｄよりも厚く通り抜けできないので、電池２０の先端部に押されて把手８６はさらに奥側に入り込む。ところが、リボン８１の這い回しはスリット８３〜８５により規制され、かつ、リボン８１の長さも取り出し操作に支障ない範囲で短くされ、リボン８１を最大に引き出した場合のスリット８５からの長さが電池２０の挿脱方向の長さより短い位置に把手８６が設けられているので、電池２０によって把手８６を押し込んでも、最終的には、図１６に示すように、スリット８５・把手８６間のリボン８１が突っ張り状態となって把手８６のこれ以上の押し込みが不可能となる。これにより、電池２０自身の正規位置への装填動作が把手８６によって阻害され、取り出し可能な位置に留まることとなり、把手８６部分が埋没してしまうような電池２０の装填を確実に防止することができる。
【００５５】
図１７は、変形例１を簡略化して示す斜視図である。変形例１は、電池収納室５３を形成する第１，２の側壁５７，５８の内面側に電池２０の挿通方向に沿わせてリボン８１が挿通する筒状経路を形成するガイド部材９１，９２を接着等により設け、これらのガイド部材９１，９２の奥側端部９２ａ（ガイド部材９１側の奥側端部は図示せず）をそれぞれガイド部としたものである。リボン８１の固定側は、ガイド部材９１を経て、例えば第１の側壁５７外へ這い回されてその外面側に接着等により固定されている。ガイド部材９２の手前側端部９２ｂは、リボン８１の引出口となる。把手８６は手前側端部９２ｂからガイド部材９２の筒状経路内への入り込みが制限される立体形状、例えば厚みを有する。また、ガイド部材９１，９２は、第１，２の側壁５７，５８に平行に立設させたリブ等によって形成したり、挿通方向に部分的に形成したりしてもよい。
【００５６】
図１８は、変形例２を簡略化して示す斜視図である。変形例２は、スリット８５に代えて、リボン８１の引出口９３を開口５３ａ脇の本体ケース５１の一部に形成し、かつ、この引出口９３から引出されるリボン８１の他端側にこのリボン８１を引き出すためのスライド引出機構９４を設けたものである。このスライド引出機構９４は、リボン８１の他端に連結されたスライドノブ９５と、このスライドノブ９５の操作方向、操作量を規定する長孔９６を有するガイド板９７とにより構成されている。ここで、長孔９６の長さｂ、すなわち、スライドノブ９５の操作量は、突当面５９からスリット８３，８４の位置までの長さａに対して、ｂ＝２ａなる関係を満たすように設定されている。また、開口５３ａ部分及びスライド引出機構９４部分を閉塞する開閉自在な蓋部材９８が設けられている。
【００５７】
図１８は、電池２０の装填状態を示している。電池２０を取り出す場合には、蓋部材９８を開放した後、スライドノブ９５を仮想線で示す右方向にスライド操作する。これにより、リボン８１が引出方向に移動し、リボン８１に当接状態の電池２０も一緒に開口５３ａ側に移動して取り出し可能となる。
【００５８】
変形例２によれば、リボン８１の他端側にスライド引出機構９４が連結されているので、この他端側のリボン挿通経路内への引込みや、電池収納室５３内への埋没を確実に防止することができる。
【００５９】
本発明は、上述した実施の形態に限らず、本発明の趣旨を逸脱しない範囲であれば、種々の変形が可能である。例えば、長尺状部材として、リボン８１のような帯状部材に代えて、紐状部材を用いることも可能である。
【図面の簡単な説明】
【００６０】
【図１】本発明の実施の形態に係る携帯型受信機を含むカプセル型内視鏡診療システムの全体構成例を示す図である。
【図２】アンテナジャック部と受信機とを示す斜視図である。
【図３】アンテナジャック部が装填された携帯型受信機６の外観を示す斜視図である。
【図４】カバーケースを取り外した本体ケース側の構成例を示す斜視図である。
【図５】天井板を取り外した本体ケース側の電池装填前の構成例を示す斜視図である。
【図６】天井板を取り外した本体ケース側の電池装填状態の構成例を電池を省略して示す斜視図である。
【図７】装填状態の電池とリボンとの状態を示す斜視図である。
【図８】装着状態のリボン単体の配設状態を示す斜視図である。
【図９】携帯型受信機６を裏返し本体ケースを省略して示す電池装填状態の斜視図である。
【図１０】図９の方向に見た装填状態の電池とリボンとの状態を示す斜視図である。
【図１１】電池収納状態の電池収納室部部分の縦断背面図である。
【図１２】電池収納状態の携帯型受信機６を一部切り欠いて示す平面図である。
【図１３】電池収納状態の携帯型受信機６を一部切り欠いて示す右側面図である。
【図１４】電池の先端側一隅がリボンからの力を受ける着力点を説明するために誇張して示す説明図である。
【図１５】把手部分が電池収納室内に存在する状態で電池の挿入操作を行う場合の様子を示す水平断面図である。
【図１６】把手部分によって電池の装填動作が阻害される様子を示す水平断面図である。
【図１７】変形例１を示す概略斜視図である。
【図１８】変形例２を示す概略斜視図である。
【符号の説明】
【００６１】
２  カプセル型内視鏡
４  検知装置
６  携帯型受信機（携帯電子機器）
２０  電池
２１  電池室カバー（蓋部材）
４２ａ  電池先端面
４２ｃ  電池後端面
４３  電池側コネクタ
４４  ガイド溝
４５  凹部
５３  電池収納室
５３ａ  開口
５６  底面（壁面）
５７，５８  側壁
５９  突当面
７１  機器側コネクタ
７２  リブ
７３  弾性係止片（弾性部材）
８１  リボン（長尺状部材）
８３，８４  スリット（ガイド部）
８５  スリット（引出口）
８６  把手
８７  空間
９１，９２  ガイド部材
９２ａ  奥側端部（ガイド部）
９２ｂ  手前側端部（引出口）
９３  引出口
９４  スライド引出機構
【図１】
2006228567.tif 000003
【図２】
2006228567.tif 000004
【図３】
2006228567.tif 000005
【図４】
2006228567.tif 000006
【図５】
2006228567.tif 000007
【図６】
2006228567.tif 000008
【図７】
2006228567.tif 000009
【図８】
2006228567.tif 000010
【図９】
2006228567.tif 000011
【図１０】
2006228567.tif 000012
【図１１】
2006228567.tif 000013
【図１２】
2006228567.tif 000014
【図１３】
2006228567.tif 000015
【図１４】
2006228567.tif 000016
【図１５】
2006228567.tif 000017
【図１６】
2006228567.tif 000018
【図１７】
2006228567.tif 000019
【図１８】
2006228567.tif 000020